(57)【特許請求の範囲】
【請求項１】
灰受け皿を含む基台と、
前記基台に連結する支持体と、
巻線香に付けるべき錘と、を備え、
前記支持体は、
前記基台上の仮想鉛直軸の周りに配置され上方へ向かうのに伴って前記仮想鉛直軸から遠ざかるように外方へ開く３つ以上の巻線香支持部を含み、それにより、中心部に前記錘が付された巻線香を、前記３つ以上の巻線香支持部において逆円錐状に支持する巻線香支持具。
【請求項２】
前記巻線香に着脱自在に取り付け可能であり、前記錘を吊り下げ可能な治具をさらに備える、請求項１に記載の巻線香支持具。
【請求項３】
灰受け皿を含む基台と、
前記基台に連結する支持体と、を備え、
前記支持体は、
前記基台上の仮想鉛直軸の周りに配置され上方へ向かうのに伴って前記仮想鉛直軸から遠ざかるように外方へ開く３つ以上の巻線香支持部を含み、それにより、中心部に錘が付された巻線香を、前記３つ以上の巻線香支持部において逆円錐状に支持し、
前記支持体の前記３つ以上の巻線香支持部の各々は、前記仮想鉛直軸に対して外方へ開く角度が、１０度から３０度の範囲である、巻線香支持具。
【請求項４】
灰受け皿を含む基台と、
前記基台に連結する支持体と、を備え、
前記支持体は、
前記基台上の仮想鉛直軸の周りに配置され上方へ向かうのに伴って前記仮想鉛直軸から遠ざかるように外方へ開く３つ以上の巻線香支持部を含み、それにより、中心部に錘が付された巻線香を、前記３つ以上の巻線香支持部において逆円錐状に支持し、
前記支持体は、支持体本体部と、前記３つ以上の巻線香支持部において前記支持体本体部を覆う断熱材とを有する、巻線香支持具。
【請求項５】
前記支持体本体部が、前記仮想鉛直軸の周りに配置された３本以上の金属棒である請求項４に記載の巻線香支持具。
【請求項６】
前記支持体の本体部をなす前記３本以上の金属棒の各々は、前記基台に連結されている下端部へ向かうのに伴い前記仮想鉛直軸から遠ざかるように、前記下端部の付近において略「Ｓ」字状に屈曲している、請求項５に記載の巻線香支持具。
【請求項７】
前記基台は、前記３本以上の金属棒の前記下端部が差し込まれることにより、前記支持体を保持する３個以上の保持用孔が形成された支持体保持部材を、さらに含む、請求項５または６に記載の巻線香支持具。
【請求項８】
前記支持体保持部材は、磁石を有し、当該磁石の磁力により前記灰受け皿に着脱可能に取り付けられている、請求項７に記載の巻線香支持具。
【請求項９】
巻線香の中心部に錘を取り付けることと、
前記錘が取り付けられた前記巻線香を、請求項１から８のいずれかに記載の巻線香支持具の前記３つ以上の巻線香支持部の間に載置することにより、前記支持体に逆円錐状に支持させることと、
支持された前記巻線香の上端に着火することと、を備える巻線香支持具の使用方法。
【発明の詳細な説明】
【技術分野】
【０００１】
本発明は、巻線香を支持する巻線香支持具及びその使用方法に関する。
【背景技術】
【０００２】
巻線香は、特許文献１に記載の通り、明治時代に考案されたものであり、葬儀の日から４９日の間、仏壇等で線香の火を絶やさないように、長時間点火時間を維持できるようにしたものである。現代では、葬儀社が葬儀の場において業として使用することも多いものである。かかる巻線香を支持する器具である巻線香支持具として、従来、特許文献１及び２に開示されるものが知られている。特許文献１に開示される巻線香支持具は、巻線香の中心部を吊り下げることにより、巻線香を釣り鐘状に支持するものである。特許文献２に開示される巻線香支持具は、巻線香の中心部を下方から支えるとともに、周辺の垂れ下がり部を支える傾斜ガイドを有するものである。
【０００３】
特許文献１、２に開示される従来の巻線香支持具は、いずれも中心部を支えるものであるから、巻線香が全体として釣り鐘状を成すように支持される。中心から周縁に至るほど下方に向かう形状であるので、巻線香への着火は下端になされ、燃焼は下方から上方へ向かうこととなる。本来の線香の概念からは逆の用法となっていた。また、巻線香の下端は、灰受け皿に近いため、巻線香を装着した後に下端へ着火することは容易ではなく、着火した後に装着するのが通常の用法となっており、安全性の点から好ましいものではなかった。さらに、特許文献１のように吊り下げ型では、巻線香の安定性が良くないという問題点があった。特許文献２のように、傾斜ガイドを有するものでも、乾燥した季節等においては、巻線香が下方へ垂れにくいので、傾斜ガイドに接触して安定して支持されるためには、装着前に巻線香をほぐしておく必要があった。また、巻線香が釣り鐘状を成すので、巻線香の全体が見えない、という美観上の問題もあった。
【先行技術文献】
【特許文献】
【０００４】
【特許文献１】実用新案登録第３１３０５４０号公報
【特許文献２】特開２００４−１６００４０号公報
【発明の概要】
【発明が解決しようとする課題】
【０００５】
本発明は上記の問題点に鑑みてなされたもので、装着前にほぐす手間を要することなく巻線香を安定して支持することができ、巻線香を装着した後に着火することができ、燃焼が上方から下方へ向かうという線香本来の姿を実現し、従来とは異なる斬新な美観を実現する巻線香支持具を提供することを目的とする。また、当該巻線香支持具の特徴を生かす使用方法を提供することを目的とする。
【課題を解決するための手段】
【０００６】
上記課題を解決し上記目的を達成するために、本発明のうち第１の態様によるものは、巻線香支持具であって、灰受け皿を含む基台と、前記基台に連結する支持体と、を備えている。前記支持体は、前記基台上の仮想鉛直軸の周りに配置され上方へ向かうのに伴って前記仮想鉛直軸から遠ざかるように外方へ開く３つ以上の巻線香支持部を含み、それにより、中心部に錘が付された巻線香を、前記３つ以上の巻線香支持部において逆円錐状に支持する。
【０００７】
この構成によれば、中心部に錘が付された巻線香を、中心部が下方に周縁部が上方に位置する逆円錐状の螺旋形となるように、支持体により支持することができる。巻線香の中心部に錘を付して使用されるので、乾燥した状態でも装着前にほぐす手間を要することなく、巻線香の上端付近から下端付近まで、巻線香支持部との接触が保たれた安定的した状態で、巻線香を支持することができる。また、逆円錐状をなす巻線香の内面が視覚上強調され、従来にはない斬新な美観を呈する。巻線香の周縁部が上方に位置するので、巻線香を巻線香支持具に装着した後に、上端に着火することができる。装着前に着火することを要しないので、安全性が向上する。また、巻線香の上端から下方へ燃焼が進行するので、線香本来の姿が実現する。
【０００８】
本発明のうち第２の態様によるものは、第１の態様による巻線香支持具であって、前記支持体は、支持体本体部と、前記３つ以上の巻線香支持部において前記支持体本体部を覆う断熱材とを有するものである。
【０００９】
この構成によれば、支持体本体部に断熱性の材料を選ぶことなく、巻線香の燃焼が中途で消失することを防止できる。
【００１０】
本発明のうち第３の態様によるものは、第２の態様による巻線香支持具であって、前記支持体本体部が、前記仮想鉛直軸の周りに配置された３本以上の金属棒であるものである。
この構成によれば、金属棒により、巻線香を挟み込む方向に適度な弾性が支持体に付与される。それにより、巻線香を支持するときの金属棒の傾斜の度合いを、弾性変形により調節することが可能となる。また、巻線香支持部において、金属棒が断熱材により被覆されているので、巻線香の燃焼が金属棒によって消失することを防ぐことができる。
【００１１】
本発明のうち第４の態様によるものは、第３の態様による巻線香支持具であって、前記支持体の本体部をなす前記３本以上の金属棒の各々は、前記基台に連結されている下端部へ向かうのに伴い前記仮想鉛直軸から遠ざかるように、前記下端部の付近において略「Ｓ」字状に屈曲しているものである。
【００１２】
この構成によれば、３本以上の金属棒の基台への連結部が互いに離れていても、巻線香に触れる巻線香支持部の下端を、仮想鉛直軸に近接させることができる。それにより、逆円錐状となる巻線香の下端付近まで触れるようにして、巻線香を支持体により支持することができる。
【００１３】
本発明のうち第５の態様によるものは、第３又は第４の態様による巻線香支持具であって、前記基台は、前記３本以上の金属棒の前記下端部が差し込まれることにより、前記支持体を保持する３個以上の保持用孔が形成された支持体保持部材を、さらに含むものである。
【００１４】
この構成によれば、支持体保持部材の保持用孔に、金属棒の下端部を挿入することにより、支持体を基台に簡単に連結することができる。
【００１５】
本発明のうち第６の態様によるものは、第５の態様による巻線香支持具であって、前記支持体保持部材は、磁石を有し、当該磁石の磁力により前記灰受け皿に着脱可能に取り付けられているものである。
【００１６】
この構成によれば、支持体保持部材が灰受け皿に着脱可能であるので、灰受け皿に溜まった灰の廃棄が容易である。
【００１７】
本発明のうち第７の態様によるものは、第１から第６のいずれかの態様による巻線香支持具であって、前記支持体の前記３つ以上の巻線香支持部の各々は、前記仮想鉛直軸に対して外方へ開く角度が、１０度から３０度の範囲であるものである。
【００１８】
この構成によれば、巻線香を逆円錐状に立てている、という美観が顕著となる。また、開きの角度に適度な下限があるので、巻線香を過度に引き延ばすことなく、巻線香の上端付近から下端付近まで、支持体との接触を保つことができる。
【００１９】
本発明のうち第８の態様によるものは、第１から第７のいずれかの態様による巻線香支持具であって、前記巻線香に付けるべき前記錘をさらに備えるものである。
この構成によれば、錘を別途準備することなく、巻線香支持具に備わる錘を巻線香に取り付けることにより、使用に供することができる。
【００２０】
本発明のうち第９の態様によるものは、第８の態様による巻線香支持具であって、  前記巻線香に着脱自在に取り付け可能であり、前記錘を吊り下げ可能な治具をさらに備えるものである。
この構成によれば、治具がさらに備わるので、釣り糸が付されていない巻線香にも、錘を容易に取り付けることが可能となる。
【００２１】
本発明のうち第１０の態様によるものは、巻線香支持具の使用方法であって、巻線香の中心部に錘を取り付けることと、前記錘が取り付けられた前記巻線香を、第１から第９のいずれかの態様による巻線香支持具の前記３つ以上の巻線香支持部の間に載置することにより、前記支持体に逆円錐状に支持させることと、支持された前記巻線香の上端に着火することと、を備える。
【００２２】
この構成によれば、本願発明による巻線香支持具を用いて、巻線香を逆円錐状となるように、安定的に支持することができる。巻線香を支持させた後に、着火するので、安全性が向上する。また、巻線香の上端に着火することにより、燃焼を上端から下方へ進行させることができ、線香本来の姿を実現させることができる。
【発明の効果】
【００２３】
以上のように本発明によれば、装着前にほぐす手間を要することなく巻線香を安定して支持することができ、巻線香を装着した後に着火することができ、燃焼が上方から下方へ向かうという線香本来の姿を実現し、従来とは異なる斬新な美観を実現する巻線香支持具が得られる。また、当該巻線香支持具の特徴を生かす使用方法が実現する。
【図面の簡単な説明】
【００２４】
【図１】本発明の一実施の形態による巻線香支持具の構成を、使用形態とともに例示する斜視図である。
【図２】図１の巻線香支持具の支柱と支柱保持部材との接続部の構成を例示する斜視図である。
【図３】図１の巻線香支持具に支持される巻線香と錘との接続部の構成を例示する斜視図である。
【図４】図１の巻線香支持具に支持される巻線香と錘との接続部の別の構成を例示する斜視図である。
【図５】本発明の別の実施の形態による巻線香支持具の構成の概略を例示する斜視図である。
【図６】本発明のさらに別の実施の形態による巻線香支持具の構成の概略を例示する斜視図である。
【発明を実施するための形態】
【００２５】
図１は、本発明の一実施の形態による巻線香支持具の構成を、使用形態とともに例示する斜視図である。この巻線香支持具１０１は、基台１と、基台１に立設された３本の支柱７と、巻線香に取り付けられる錘１３とを有している。基台１は、灰受け皿３と、灰受け皿３の上面中央部に固定された支柱保持部材５とを有している。灰受け皿３は、例えば金属製であり、支柱保持部材５は、例えば難燃性プラスチック製である。３本の支柱７は、仮想鉛直軸２０の周りに回転対称状となるように支柱保持部材５に保持される。３本の支柱は、下端部付近である脚部を除いた主要部において、下方へ向かうのに伴って仮想鉛直軸２０に近接するように、言い換えると上方へ向かうのに伴って仮想鉛直軸２０から遠ざかり、外方へ開くように傾斜している。３本の支柱７は、傾斜した主要部において、中心部に錘１３が吊り下げられた巻線香１０を、逆円錐状の螺旋形となるように支持する。３本の支柱７は、本発明の支持体の具体例に相当し、各支柱７の主要部の仮想鉛直軸２０に面する部位、すなわち巻線香１０を支持する部位は、本発明の巻線香支持部の具体例に相当する。支柱保持部材５は、本発明の支持体保持部材の具体例に相当する。
【００２６】
支柱７は、本体部をなす金属棒９と、金属棒９を被覆する断熱材１１とを有する。断熱材１１は、支柱７の主要部において、金属棒９を覆っている。金属棒９は例えば鉄製であり、断熱材１１は例えばカーボンフェルト不燃繊維である。不燃繊維は金属棒９を直接に覆うように取り付けても良く、あるいは、金属棒９に芯材となるプラスチック製等の板が取り付けられ、この芯材の周面を覆うように不燃繊維が接着されてもよい。金属棒９は適度に弾性変形させることができ、それにより、支柱７の主要部の傾斜角に、弾性変形による適度な広がりを持たせることができる。その結果、長時間の使用に伴い断熱材１１の損耗があった場合においても、巻線香１０を適切な高さに支持することが可能となる。
【００２７】
支柱７の金属棒９は、一例として図２に示すように、脚部が屈曲している。すなわち、金属棒９の脚部は、胴部に近い側が仮想鉛直軸２０に近く、支柱保持部材５に接続される側が仮想鉛直軸２０から遠くなるように、略「Ｓ」字状に屈曲している。それにより、支柱保持部材５により３本の金属棒９を、互いに間隔をおいて保持しつつも、支柱７の主要部の下端を、仮想鉛直軸２０に十分に近接させることを可能にしている。すなわち、逆円錐状となった巻線香１０の下端まで支柱７が触れることを可能にしている。支柱保持部材５の上面には保持用孔６が形成されており、この保持用孔６に金属棒９の下端部を挿入することにより、支柱７が支柱保持部材５に保持されている。金属棒９と保持用孔６とは、例えば接着材により固着されてもよく、取り外して分解することが可能なように、接着材無しで差し込まれたままであってもよい。
【００２８】
支柱保持部材５は、磁石の磁力により、灰受け皿３に着脱自在に取り付けられてもよい。それにより、灰受け皿３に溜まった灰を廃棄するときに、支柱保持部材５を取り外すことができ、灰の廃棄が容易となる。例えば、支柱保持部材５の底面に磁石を取り付け、灰受け皿３の主材料を鉄などの磁性体とすることにより、支柱保持部材５を磁力により灰受け皿３に吸着させることができる。
【００２９】
錘１３は例えば金属製であり、一例として図３に示すように、球状体と、球状体に取り付けられたフックとを有している。巻線香１０には、中心部に釣り糸１５が付されて市販されているものがあり、この釣り糸１５にフックを掛けることにより、容易に錘１３を巻線香１０に吊すことができる。あるいは、釣り糸１５の無い巻線香１０の中心部に錘１３を取り付けるための治具を使用することも可能である。図４は、その一例を示す。図４に例示する治具１７は、つるまきバネ構造部と、その両端から延びるフック部とを有する、金属線スプリングの形態を成している。図４のうち（ａ）は使用形態を同時に例示する治具１７の斜視図であり、（ｂ）は治具１７の正面図であり、（ｃ）は治具１７の側面図である。治具１７はつるまきバネ構造部によって一対のフック部に付与される、外側に広がろうとする弾性力により、巻線香１０の中心部に着脱自在に、かつ安定的に取り付けることができる。この治具１７のつるまきバネ構造部に、錘１３のフックを掛けることにより、巻線香１０に錘１３を吊すことができる。あるいは、錘１３と治具１７とは、不可分に連結していてもよい。
【００３０】
以上のように、巻線香支持具１０１は、従来技術とは異なり、巻線香１０を逆円錐状の螺旋形となるように支持するので、従来に無い斬新な美観を呈する。特に、斜め上方からの視線において、螺旋形の巻線香１０の全体が目に映るという従来に無い美観を奏する。また、従来技術とは異なり、巻線香１０の上端に着火することができるので、巻線香１０を巻線香支持具１０１に装着した後に、着火することができ、安全性が向上する。また、燃焼は上端から下方へ向かって進行するので、線香本来の姿が実現する。さらに、錘１３を使用することになるので、乾燥した気候においても、巻線香１０を事前にほぐすことなく、上端付近から下端付近まで、支柱７との接触が保たれた安定的した状態で、巻線香１０を支持することができる。また、巻線香１０が安定して支持されるので、燃焼させつつ安全に持ち運ぶことができる。また、エアーコンディショナー等による風の影響を受けにくい。
【００３１】
支柱７の主要部の傾斜角は、好ましくは仮想鉛直軸２０に対して１０度〜３０度の範囲である。この角度範囲であれば、巻線香１０を逆円錐状に立てている、という美観が顕著となる。また、傾斜角が１０度以上であるので、巻線香１０を過度に引き延ばすことなく、巻線香１０の上端付近から下端付近まで、支柱７との接触を保つことができる。
【００３２】
図５に巻線香支持具１０２として例示するように、支柱７に代えて、他の形態の部材、例えば基台２１上に起立する板状体２７を配置することも可能である。この場合であっても、仮想鉛直軸２０に面し、巻線香１０（図示略）に触れる板状体２７の表面部分、すなわち巻線香支持部は、仮想鉛直軸２０の周りに対称となるように配置され、かつ上方に向かうのに伴って外方に開くように形成される。それにより、巻線香支持具１０１と同様に、巻線香１０を逆円錐状の螺旋形となるように支持することが可能となる。また、好ましくは、板状体２７のうち、巻線香１０に触れる表面は、断熱材３１で覆われる。
【００３３】
図５の巻線香支持具１０２においても、支持体は板状体２７として、３つに分割して基台２１上に配置されている。これに対して、図６に巻線香支持具１０３として例示するように、支持体として例えば、基台４１にその中心から離れて立設される１本の柱状体４３と、基台４１の中心寄りに位置するようにこの柱状体４３の頂部に連結し、水平な姿勢の環状体４５と、この環状体４５の内周面に連結し、環状体４５の中心を通過する仮想鉛直軸２０の周りに配置され、かつ上方に向かうのに伴って外方に開くように形成される３本の棒状体４７と、を有する構造のものを実施することも可能である。各棒状体４７のうち、仮想鉛直軸２０に面し、巻線香支持部を成す部分は、断熱材で覆われていても良い。
【００３４】
上記の実施の形態では、巻線香支持部は直線状であったが、本発明は、巻線香支持部が直線状ではない形態を採ることも可能である。巻線香支持部は、上方へ向かうほど仮想鉛直軸２０から遠ざかるように、外方へ開く形状であれば、例えば、緩やかな螺旋を描く形状であっても良い。例えば、図６の例において、３本の棒状体４７が螺旋を描くように、緩やかにねじれた形状をなしてもよい。このように巻線香支持部が直線状ではない形態においても、巻線香支持部が仮想鉛直軸２０に対して外方へ開く望ましい角度は、上記の通り１０度から３０度の範囲である。
【符号の説明】
【００３５】
１、２１、４１  基台
３  灰受け皿
５  支柱保持部材（支持体保持部材）
６  保持用孔
７  支柱（支持体）
９   金属棒
１０  巻線香
１１、３１  断熱材
１３  錘
１５  釣り糸
１７  治具
２０  仮想鉛直軸
４３  柱状体（支持体）
４５  環状体（支持体）
４７  棒状体（支持体）
１０１、１０２、１０３  巻線香支持具
【図１】
0006442191.tif 000002
【図２】
0006442191.tif 000003
【図３】
0006442191.tif 000004
【図４】
0006442191.tif 000005
【図５】
0006442191.tif 000006
【図６】
0006442191.tif 000007